(57)【要約】      （修正有）【課題】好適な弾性バネを有する接触トリガ解放式針ガードを提供する。【解決手段】即時充填可能状態において、予充填された注射器５０に搭載可能な針ガードデバイス１００。本デバイスは、可撓性部材を用いて係止つば１０に相互接続され、係止つばに対して移動するように付勢される、デバイス遮蔽体２０を含む。係止つばは、デバイスを注射器に取着するための注射器首部と接合する。デバイス遮蔽体が近位に移動するにつれて、係止つばの回転アームは、デバイス遮蔽体内の角度が付けられた切り欠きと相互作用し、デバイス遮蔽体を係止つばに対して回転させ、デバイス遮蔽体上の１つ以上のキーを係止つば内の１つ以上のキー溝から係脱させ、デバイス遮蔽体をトリガし、デバイス遮蔽体が注射器先鋭部を暴露させるように後退可能な第１の構成から、デバイス遮蔽体が注射器先鋭部を被覆するように固定して位置付けられる第２の構成に移動させる。【選択図】図１
2020049278.tif 000002
【特許請求の範囲】
【請求項１】
デバイス、方法、など。
【発明の詳細な説明】
【技術分野】
【０００１】
（分野）
本明細書に提供される実施形態は、概して、注射器のための安全システムに関し、より具体的には、注射器の針を被覆するために自動的に起動される遮蔽体を含む、注射器のための針ガードに関する。
【背景技術】
【０００２】
（背景情報）
薬剤は、多くの場合、一端の針と、他端に摺動可能に挿入され、ゴムストッパに結合される、プランジャとを伴う、注射筒を有する、ガラス製注射器等の薬品カートリッジを使用して、分注される。そのようなカートリッジは、空のまま装備され、注射を行なう前にユーザによって充填される、従来の注射器と比較して、最初に提供されるときに、規定投与量または体積の薬剤を含有し得るため、多くの場合、「予充填注射器」と称される。
【０００３】
ガラス製注射器およびゴムストッパは、長年の間、酸素に対する不浸透性、低抽出性、生体適合性、耐久性等の一意の特性を有する、理想的薬物貯蔵封入体を提供してきた。しかしながら、両方とも、厳密な幾何学的公差には役立たないプロセスによって形成される。厳密な公差は、これらのデバイスが、他のデバイスと機械的に併用されなかったため、元々必要とされなかった。
【０００４】
伝染性疾患のリスクのため、いくつかの注射器およびアダプタが、偶発的針刺しおよび／または注射器の不慮の再使用を防止するように意図されて開発されている。予充填された注射器のための従来の受動的針刺し防止安全デバイスは、注射の間、プランジャロッドを移動させるために要求される力に過剰に干渉せず、かつプランジャロッドの完全進行を防止しないように、注射器に搭載しなければならない。安全機構は、必然的に、薬物の投与または注射の終了に向かって（すなわち、プランジャロッド進行の終了近傍で）トリガされなければならない。しかしながら、事実上、全ての安全デバイスは、注射器の指掛け用フランジ下のある点において、安全デバイスに対して注射器を定めるため、安全デバイスの操作性は、注射器およびストッパの公差に依存する傾向となる。
【０００５】
加えて、予充填された注射器のための従来の受動的針刺し防止安全デバイスは、注射器の注射筒またはその上に搭載する傾向にあるため、安全デバイスは、注射器の内容物を見えなくする傾向にあり、注射器の充填後に適用されなければならない。
【０００６】
予充填された注射器は、形成プロセスおよび針の取着後、注射器が、内側および外側が徹底的に洗浄され、次いで、密閉された容器に定置され、次いで、滅菌され、薬品を充填する準備ができた状態で医薬系顧客に出荷される、即時充填可能注射器として、医薬系顧客に出荷される傾向にある。注射器容器は、１００〜１６０個の注射器を含有してもよく、それぞれ、確立された注射器取扱機器と一致する、幾何学的空間およびアクセスを伴う。注射器に適用される安全デバイスは、定位置にあり、それらの薬剤での充填に先立って、注射器をチェックする、光学検査システムを見えなくしてはならない。
【０００７】
故に、即時充填可能注射器およびストッパ公差から独立した安全デバイストリガ機構を有し、注射器取扱容器に対する注射器位置に、または充填および包装の間、取扱機器が注射器を搬送する経路に悪影響を及ぼさず、かつ検査プロセスを妨害せず、注射器に組み立てられる、注射器のための針ガードを有することが望ましいであろう。
【発明の概要】
【課題を解決するための手段】
【０００８】
（要約）
本明細書に説明されるシステムおよび方法は、注射器およびストッパ公差から独立した安全デバイストリガ機構を有する、注射器のための針ガードを対象とする。本明細書に説明される接触トリガ解放式針ガードデバイスは、即時充填可能注射器の遠位端に取着されるように設計される、針刺し防止デバイスである。針ガードデバイスは、係止つばと、係止つばに対して移動可能なデバイス遮蔽体とを含む。デバイス遮蔽体は、デバイス遮蔽体と係止つばとの間に連結された弾性バネによって、係止つばに対して付勢される。係止つばは、注射器首部および陥凹と接合し、針ガードデバイスを即時充填可能注射器に取着させる。剛性および軟性針遮蔽体を備える、剛性針遮蔽体サブアセンブリの除去によって、デバイス遮蔽体は、注射器首部に沿って、近位に自由に移動し、係止つばと相互作用し、デバイス遮蔽体をトリガし、デバイス遮蔽体が注射器先鋭部を暴露させるように移動可能な第１の構成から、針が固定して遮蔽または被覆される第２の構成に、係止つばに対して移動させる。
【０００９】
使用時、デバイスユーザは、剛性針遮蔽体サブアセンブリを除去し、針等の注射器先鋭部を注射部位に挿入し、デバイス遮蔽体と皮膚の初期接触点を越えて注射器を押下し、デバイス遮蔽体を係止つばに沿って近位に移動させる。デバイス遮蔽体が係止つばに沿って近位に移動するにつれて、係止つばの回転アームは、デバイス遮蔽体内の角度が付けられた切り欠きと相互作用し、デバイス遮蔽体を係止つばに対して回転させ、デバイス遮蔽体上の１つ以上のキーを係止つば内の１つ以上のキー溝から係脱させ、デバイス遮蔽体をトリガし、デバイス遮蔽体が注射器先鋭部を暴露させるように後退可能な第１の構成から、デバイス遮蔽体が遮蔽体に固定して位置付けられる、または注射器先鋭部を被覆する第２の構成に移動させる。
本明細書は、例えば、以下の項目も提供する。
（項目１）
注射器に連結可能な針ガードであって、前記針ガードは、
注射器の首部に連結可能な係止つばと、
デバイス遮蔽体と、
前記係止つばおよび前記デバイス遮蔽体を相互接続する可撓性部材と
を備え、
前記デバイス遮蔽体は、前記デバイス遮蔽体が注射器先鋭部を暴露させるように自由に近位に後退される第１の構成から、前記デバイス遮蔽体が前記注射器先鋭部を被覆する位置に固定される第２の構成に、前記係止つばに対して移動可能であり、前記デバイス遮蔽体は、前記デバイス遮蔽体が近位に移動するにつれて、前記第１の構成から係脱させられ、前記デバイス遮蔽体が、前記可撓性部材の付勢下、前記第２の構成へと遠位に移動することを可能にする、針ガード。
（項目２）
前記可撓性部材は、前記デバイス遮蔽体が前記係止つばに対して近位に移動するにつれてエネルギーを貯蔵し、前記デバイス遮蔽体を付勢して前記第２の構成に向かって遠位に移動させるように構成される、項目１に記載の針ガード。
（項目３）
前記注射器の首部に取り外し可能に連結された剛性針遮蔽体アセンブリをさらに備える、項目１に記載の針ガード。
（項目４）
前記針遮蔽体アセンブリは、剛性針遮蔽体構成要素と、前記剛性針遮蔽体構成要素内に受容された軟性針遮蔽体構成要素とを備える、項目３に記載の針ガード。
（項目５）
前記デバイス遮蔽体は、１つ以上のロックアウトアームを含み、前記係止つばは、１つ以上の陥凹を含み、前記１つ以上のロックアウトアームは、前記１つ以上の陥凹内に係合し、前記デバイス遮蔽体を前記第２の構成に保定する、項目１に記載の針ガード。
（項目６）
前記１つ以上のロックアウトアームは、前記１つ以上の陥凹の上部および底部表面に当接する上部および底部表面を有する、項目５に記載の針ガード。
（項目７）
前記係止つばは、１つ以上の係止つばタブを含み、前記１つ以上の係止つばタブは、前記注射器の首部内の陥凹の中に受容可能であり、前記係止つばを前記注射器の首部上に保定する、項目１に記載の針ガード。
（項目８）
前記デバイス遮蔽体の起動を示す触知フィードバック機構をさらに備える、項目１に記載の針ガード。
（項目９）
前記触知フィードバック機構は、前記係止つば内の１つ以上の軸方向に延在するキー溝と、前記デバイス遮蔽体の内部に沿って軸方向に延在し、前記１つ以上のキー溝内に受容される、１つ以上のキーとを含む、項目８に記載の針ガード。
（項目１０）
前記デバイス遮蔽体は、前記係止つばに対する前記デバイス遮蔽体の回転の際に、前記１つ以上のキーが、撓曲し、前記１つ以上のキー溝から係脱することを可能にする、１つ以上の切り欠きを含む、項目９に記載の針ガード。
（項目１１）
前記デバイス遮蔽体内の１つ以上の角度が付けられた切り欠きと、前記係止つば上にあり、前記１つ以上の角度が付けられた切り欠き内に受容可能な１つ以上の回転アームとをさらに備える、項目１０に記載の針ガード。
（項目１２）
前記係止つばに対する前記デバイス遮蔽体の近位移動は、前記１つ以上の回転アームを前記１つ以上の角度が付けられた切り欠き内で移動させ、前記デバイス遮蔽体を前記係止つばに対して回転させる、項目１１に記載の針ガード。
（項目１３）
前記１つ以上のキーによって係合可能な前記係止つば上の１つ以上の回転停止タブをさらに備える、項目１０に記載の針ガード。
（項目１４）
注射器アセンブリであって、前記注射器アセンブリは、
注射器と、
前記注射器の遠位端において注射器首部から延在する針と、
前記注射器首部に連結された針ガードであって、前記注射器首部に連結可能な係止つばを含む、針ガードと、
前記デバイス遮蔽体および前記係止つばに連結された可撓性部材によって、前記係止つばに対して移動するように付勢されたデバイス遮蔽体と
を備え、
前記針ガードは、前記デバイス遮蔽体が注射器先鋭部を暴露させるように前記係止つばに対して近位に移動可能である第１の構成と、前記注射器先鋭部が前記デバイス遮蔽体によって固定して被覆される第２の構成とを有し、前記デバイス遮蔽体は、前記デバイス遮蔽体が近位に移動するにつれて、前記第１の構成から係脱させられ、前記デバイス遮蔽体が、前記可撓性部材の付勢下、前記第２の構成へと遠位に移動することを可能にする、注射器アセンブリ。
（項目１５）
前記可撓性部材は、前記デバイス遮蔽体が前記係止つばに対して近位に移動するにつれてエネルギーを貯蔵し、前記デバイス遮蔽体を付勢して前記第２の構成に向かって遠位に移動させるように構成される、項目１４に記載の注射器アセンブリ。
（項目１６）
前記注射器の首部に取り外し可能に連結された剛性針遮蔽体アセンブリをさらに備える、項目１４に記載の注射器アセンブリ。
（項目１７）
前記針遮蔽体アセンブリは、剛性針遮蔽体構成要素と、前記剛性針遮蔽体構成要素内に受容された軟性針遮蔽体構成要素とを備える、項目１６に記載の注射器アセンブリ。
（項目１８）
前記デバイス遮蔽体は、１つ以上のロックアウトアームを含み、前記係止つばは、１つ以上の陥凹を含み、前記１つ以上のロックアウトアームは、前記１つ以上の陥凹内に係合し、前記デバイス遮蔽体を前記第２の構成に保定する、項目１４に記載の注射器アセンブリ。
（項目１９）
前記１つ以上のロックアウトアームは、前記１つ以上の陥凹の上部および底部表面に当接する上部および底部表面を有する、項目１８に記載の注射器アセンブリ。
（項目２０）
前記係止つばは、１つ以上の係止つばタブを含み、前記１つ以上の係止つばタブは、前記注射器首部内の陥凹の中に受容可能であり、前記係止つばを前記注射器首部上に保定する、項目１４に記載の注射器アセンブリ。
（項目２１）
前記係止つば内の１つ以上の軸方向に延在するキー溝と、前記デバイス遮蔽体の内部に沿って軸方向に延在し、前記１つ以上のキー溝内に受容される、１つ以上のキーとをさらに備える、項目１４に記載の注射器アセンブリ。
（項目２２）
前記デバイス遮蔽体は、前記係止つばに対する前記デバイス遮蔽体の回転の際に、前記１つ以上のキーが、撓曲し、前記１つ以上のキー溝から係脱することを可能にする、１つ以上の切り欠きを含む、項目２１に記載の注射器アセンブリ。
（項目２３）
前記デバイス遮蔽体内の１つ以上の角度が付けられた切り欠きと、前記係止つば上にあり、前記１つ以上の角度が付けられた切り欠き内に受容可能な１つ以上の回転アームとをさらに備える、項目２２に記載の注射器アセンブリ。
（項目２４）
前記係止つばに対する前記デバイス遮蔽体の近位移動は、前記１つ以上の回転アームを前記１つ以上の角度が付けられた切り欠き内で移動させ、前記デバイス遮蔽体を前記係止つばに対して回転させる、項目２３に記載の注射器アセンブリ。
（項目２５）
前記１つ以上のキーによって係合可能な前記係止つば上の１つ以上の回転停止タブをさらに備える、項目２４に記載の注射器アセンブリ。
【００１０】
本発明の他のシステム、方法、特徴、および利点は、以下の図および発明を実施するための形態の検討に応じて、当業者に明白となるであろう。
【００１１】
加工、構造、および動作を含む、本明細書に提供される本発明の詳細は、類似参照番号が、類似部品を指す、付随の図の検証によって、部分的に得られ得る。図中の構成要素は、必ずしも、正確な縮尺ではなく、代わりに、本発明の原理を図示するために強調される。さらに、全ての例証は、概念を伝達することを意図しており、相対的サイズ、形状、および他の詳細な属性は、文言的または精密にではなく、図式的に図示され得る。
【図面の簡単な説明】
【００１２】
【図１】図１は、安全デバイスと注射器の分解アセンブリの等角図である。
【図２】図２は、統合された係止つば、デバイス遮蔽体、および可撓性相互接続部品を製造するプロセスにおける第１のステップ（ポリマー射出成形−第１のショット）後の係止つばおよびデバイス遮蔽体の等角図である。
【図３】図３は、統合された係止つば、デバイス遮蔽体、および可撓性相互接続部品を製造するプロセスにおける第２のステップ（ＴＰＥ射出成形−第２のショット）後の係止つば、デバイス遮蔽体、および可撓性相互接続の等角図である。
【図４】図４は、統合された係止つば、デバイス遮蔽体、および可撓性相互接続部品を製造するプロセスにおける第３のステップ（係止つば／デバイス遮蔽体ブリッジの切り取り）後の係止つば、デバイス遮蔽体、および可撓性相互接続の等角図である。
【図５】図５は、デバイス遮蔽体内に挿入された係止つばとともに組み立てられた統合された係止つば、デバイス遮蔽体、および可撓性相互接続部品の等角図である。
【図６】図６は、デバイス遮蔽体内に挿入された係止つばとともに組み立てられた統合された係止つば、デバイス遮蔽体、および可撓性相互接続部品の横断面図である。
【図７】図７は、使用に先立って、剛性針遮蔽体（ＲＮＳ）を定位置に伴う、注射器首部に組み立てられた安全デバイスの横断面図である。
【図８】図８は、安全デバイスとの統合のためのカスタム首部を伴う、注射器の正面図である。
【図９】図９は、安全デバイスの係止つばの上面図である。
【図１０】図１０は、安全デバイスからの容易な除去のための統合されたグリップを伴う、ＲＮＳの等角図である。
【図１１】図１１は、ＲＮＳの等角横断面図である。
【図１２】図１２は、注射器およびプランジャと完全に組み立てられ、ＲＮＳが除去された安全デバイスの等角図である。デバイスは、患者の皮膚に対して圧接され、針を注射部位に挿入する準備ができた状態で描写される。
【図１３】図１３は、注射器と完全に組み立てられ、ＲＮＳが除去された、安全デバイスの断面部分等角図である。安全デバイスは、患者の皮膚に対して圧接され、針を注射部位に挿入する準備ができた状態で描写される。
【図１４】図１４は、注射部位への針の挿入に先立ったデバイスの断面等角図であり、デバイス遮蔽体係止アームが上方に進行する、係止つば内の斜面を示す。
【図１５】図１５は、係止つばの等角図である。
【図１６】図１６は、デバイス遮蔽体および可撓性相互接続部の一部が切り取られた、注射部位への針挿入に先立った安全デバイスの等角図である。本図は、係止つば回転アームおよびデバイス遮蔽体内の角度が付けられた切り欠きとのその整合を示す。
【図１７】図１７は、安全デバイスの上部を通した横断面図であり、デバイス遮蔽体上のキーおよび係止つば内のキー溝を介したデバイス遮蔽体および係止つばの回転依存を示す。
【図１８】図１８は、デバイス遮蔽体の断面等角図である。
【図１９】図１９は、針挿入の間、デバイス遮蔽体の角度が付けられた切り欠きと係合されている、係止つば回転アームの等角詳細図である。
【図２０】図２０は、針挿入の間、デバイス遮蔽体の角度が付けられた切り欠きと係合されている、係止つば回転アーム等の安全デバイスの等角詳細図である。
【図２１】図２１は、係止つばに対するデバイス遮蔽体の回転方向および針挿入点においてキー溝から撓曲するデバイス遮蔽体キーの能力を示す、針挿入の間の安全デバイスを通した等角横断面図である。
【図２２】図２２は、係止つばに対するデバイス遮蔽体の回転方向および針挿入点においてキー溝から撓曲するデバイス遮蔽体キーの能力を示す、針挿入の間の安全デバイスを通した近位端から見た横断面図である。
【図２３】図２３は、デバイス遮蔽体の角度が付けられた切り欠きの点Ｂに係止つば回転アームを伴う、完全針挿入時の安全デバイスの等角図である。
【図２４】図２４は、完全針挿入時のデバイス遮蔽体の角度が付けられた切り欠きの点Ｂにおける係止つば回転アームの詳細図である。
【図２５】図２５は、完全針挿入後の安全デバイスの等角横断面図であり、係止つばタブと回転係止されたデバイス遮蔽体キーを示す。
【図２６】図２６は、デバイス遮蔽体の断面（図１８から９０度オフセットされた）等角図である。
【図２７】図２７は、完全針挿入後の安全デバイスの等角横断面図であり、係止つば回転アームにかかるいかなる応力も緩和するための定位置におけるデバイス遮蔽体切り欠きを示す。
【図２８】図２８は、デバイス遮蔽体ロックアウトアームが係止つばと再係合するにつれた針除去に応じた安全デバイスの等角図である。
【図２９】図２９は、デバイス遮蔽体ロックアウトアームが係止つばと再係合するにつれた針除去に応じた安全デバイスの詳細横断面図である。
【図３０】図３０は、針除去およびデバイスロックアウト後のデバイスの断面部分等角図である。
【図３１】図３１は、ロックアウト位置にデバイス遮蔽体ロックアウトアームを伴う、針除去およびデバイスロックアウト後のデバイスの詳細断面等角図である。
【図３２】図３２は、デバイス遮蔽体の一部がデバイスの内側が見えるように切り取られた代替ロックアウト方法実施形態の部分等角図である。代替ロックアウト方法実施形態は、デバイス使用に先立った状態に示される。
【図３３】図３３は、デバイス使用に先立った代替ロックアウト方法実施形態の部分等角図である。
【図３４】図３４は、針が注射部位に途中まで挿入された後の代替ロックアウト方法実施形態の部分等角図である。
【図３５】図３５は、針が注射部位に途中まで挿入された後の代替ロックアウト方法実施形態の断面部分等角図である。
【図３６】図３６は、代替ロックアウト方法実施形態において使用される係止リングの等角図である。
【図３７】図３７ＡおよびＢは、針が注射部位に完全に挿入された後の代替ロックアウト方法実施形態の断面部分等角図である。
【図３８】図３８ＡおよびＢは、針が注射部位から完全に除去され、デバイスが係止状態に来た後の代替ロックアウト方法実施形態の断面部分等角図である。
【発明を実施するための形態】
【００１３】
（詳細な説明）
本明細書に説明されるシステムおよび方法は、注射器幾何学形状から独立する安全デバイストリガ機構を有する、注射器のための針ガードを対象とする。ここで、図を参照すると、図１−３８は、接触トリガ解放式針ガードの実施形態を示す。本明細書に説明される針ガードは、その即時充填可能状態において、予充填された注射器の遠位端に取着されるように設計された針刺し防止安全デバイスである。図１に描写されるように、針刺し防止安全デバイスまたは針ガード１００は、その即時充填可能状態において、注射器５０の遠位端に取着されるように設計される。デバイス１００は、係止つば１０と、デバイス遮蔽体２０と、可撓性相互接続部３０と、剛性外側構成要素４１および軟性内側構成要素４２（図７、９、および１０参照）から成る剛性針遮蔽体４０とから成る。好ましい実施形態では、係止つば１０、デバイス遮蔽体２０、および可撓性相互接続部３０は、１つの射出成形プロセスにおいて生産される。プロセスは、単一ポリマー材料を用いた第１の射出成形ショットにおいて、係止つば１０およびデバイス遮蔽体２０を射出成形するステップから成る。図２に描写されるように、２つの部品は、薄い材料のブリッジ６０を介して、または典型的には組合せ金型として知られるランナシステムを介して、接続されてもよい。第２の射出成形ショットは、図３に示されるように、係止つば１０をデバイス遮蔽体２０に物理的に接続する可撓性相互接続部３０を生産するであろう、熱可塑性物質エラストマー（ＴＰＥ）等の可撓性材料から成るであろう。射出成形プロセスの間、可撓性相互接続部３０は、係止つば１０およびデバイス遮蔽体２０に物理的に結合するであろう。代替として、係止つば１０およびデバイス遮蔽体２０は、可撓性相互接続部３０が射出成形されると、物理機械的結合が部品間に生成されるように設計されてもよい。プロセスにおける最後のステップは、ブリッジ６０を切り取ることである。安全デバイス１００は、図４では、ブリッジ６０を伴わずに描写される。
【００１４】
図５および６に示されるように、安全デバイス１００が組み立てられると、係止つば１０は、デバイス遮蔽体２０内に押動または挿入される。本ステップは、係止つば１０とデバイス遮蔽体２０との間に連結され、その間に位置付けられる、可撓性相互接続部３０の可撓性によって可能となる。
【００１５】
図７、８、および９を参照すると、デバイス１００は、注射器首部５３内の陥凹５２および係止つば１０の内径上に位置する係止つばタブ１１を介して、注射器５０に組み立てられて示される。剛性針遮蔽体４０は、注射器５４の遠位端に取着される。図１０および１１に示されるように、剛性針遮蔽体４０は、外側剛性熱可塑性物質４１と、例えば、Ｓｔｅｌｍｉ剛性針遮蔽体またはＢＤ剛性針遮蔽体等、現在市販され、多くの場合、針および薬物を保護するためのガラス製の予充填された注射器上で使用されるような内側軟性エラストマー針遮蔽体４２とから成る。注射器５４の遠位端は、標準的１ｍｌ長の予充填されたガラス製注射器と同じであるように設計される。その結果、剛性針遮蔽体４０は、現在の予充填された注射器剛性針遮蔽体システムと同じく機能し、軟性針遮蔽体構成要素４２と注射器の球状部５５および軟性針遮蔽体構成要素４２と注射器先鋭部５１との間にシールを生成することによって、針先鋭部５１および注射器５０の内容物の両方を保護する。
【００１６】
剛性針遮蔽体４０はまた、図７に描写されるように、デバイス遮蔽体２０の底部から突出する、外側剛性部分４１から延在するグリップ区画４３を含有する。グリップ４３は、ユーザが、注射器５０および安全デバイス１００の使用に先立って、剛性針遮蔽体４０を把持および除去するために利用可能である。剛性針遮蔽体４０の除去後、注射器５０および安全デバイス１００は、薬物注射のための準備ができる。
【００１７】
図１２を参照すると、ユーザに注射を行うために、デバイス遮蔽体２０の遠位端２８を注射部位７０に対して留置し、注射器５０を押動させ、針５１を挿入するであろう。注射器５０が遠位に押動されるにつれて、デバイス遮蔽体２０は、注射器５０に沿って、近位に進行するであろう。図１３に示されるように、可撓性相互接続部３０は、係止つば１０の遠位端およびデバイス遮蔽体２０の近位端に結合または固定され、その結果、注射器５０が、遠位に押動されるにつれて、注射器５０に連結された係止つば１０は、デバイス遮蔽体２０に対して遠位に進行し、可撓性相互接続部３０を伸展させ、それによって、エネルギーを貯蔵し、したがって、ばねのように作用する。
【００１８】
近位に注射器５０に沿ったデバイス遮蔽体２０の初期数ミリメートルの進行の間、デバイス遮蔽体ロックアウトアーム２２が、図１４に示されるように、係止つば１０上に位置する斜面１２に沿って上方または近位に乗設される。その結果、デバイス遮蔽体ロックアウトアーム２２は、撓曲し、注射部位７０への針５１の挿入の間、撓曲した状態で注射器５０に沿って上方または近位に乗設されるであろう。図１５および１６を参照すると、角度が付けられた切り欠き２３が、デバイス遮蔽体２０内に示され、回転アーム１４が、係止つば１０上に示される。回転アーム１４は、角度が付けられた切り欠き２３の開始点（点Ａ）と垂直に整合される。図１７および１８に描写されるように、針５１挿入に先立って、係止つば１０およびデバイス遮蔽体２０は、デバイス遮蔽体２０の内部に沿って軸方向に延在するキー２５および係止つば１０の外側周縁上に位置するキー溝１５を介して回転連結される。図１９および２０を参照すると、係止つば１０の回転アーム１４が角度が付けられた切り欠き２３の点Ａに到達するように十分な所定の距離だけ、デバイス遮蔽体２０が、注射器５０に沿って上方または近位に進行すると、デバイス遮蔽体２０の内側にある間、撓曲状態にある回転アーム１４は、デバイス遮蔽体２０内の角度が付けられた切り欠き２３の中に跳ね返るであろう。角度が付けられた切り欠き表面２６と回転アーム１４の底部縁１６との間で行われるここでの接触および注射器５０に対するデバイス遮蔽体２０の持続的近位移動の結果、デバイス遮蔽体２０および係止つば１０は、相互に対して回転し始めるであろう。図２１および２２に描写されるように、針５１が、注射部位７０内にさらに挿入されるにつれて、デバイス遮蔽体２０および係止つば１０が相互に対して回転するため、デバイス遮蔽体キー２５上の角度が付けられたまたは面取り表面２７およびデバイス遮蔽体２０内の切り欠き２８は、デバイス遮蔽体キー２５が、キー溝１５から外方に撓曲し、係止つばタブ１７にわたって進行することを可能にする。
図２３および２４を参照すると、係止つば回転アーム１４が角度が付けられた切り欠き２３内の点Ｂに到達する点において、針５１は、注射部位７０内に完全に挿入され、デバイス遮蔽体２０は、回転アーム１４の底部表面１６と角度が付けられた切り欠き２３の底部表面２９との間の界面のため、これ以上注射器５０に沿って上方または近位に移動することができず、図２５に示されるように、デバイス遮蔽体２０および係止つば１０は、キー２５が係止つばタブ１７との係合に跳ね返されるにつれて、回転固定される。デバイス遮蔽体２０および係止つば１０は、本デバイスの使用点において、回転固定されるのが好ましく、そうでなければ、針５１挿入の間の係止つば１０に関連したデバイス遮蔽体２０の捻転の結果、可撓性相互接続部３０内に生成された捻転が、針５１除去の際に、デバイス遮蔽体２０および係止つば１０を相互に対して押勢し、その元の配向に跳ね返させる傾向となるであろう。そのような発生は、デバイス遮蔽体２０が、注射部位７０からの完全針除去５１の際に、遮蔽位置に適切に係止することを妨害する傾向となるであろう。
【００１９】
注射が与えられ、注射器５０が注射部位７０から引き離された後、応力または可撓性相互接続部３０内に貯蔵されたエネルギーは、デバイス遮蔽体２０を押勢し、注射器５０を辿って遠位に後方に移動させる。その結果、デバイス遮蔽体２０は、常時、針５１を遮蔽し、その結果、投与者が針５１で自らを偶発的に刺すことを防止する。図２６および２７を参照すると、デバイス遮蔽体２０が、注射器５０の遠位端に向かって後方に押勢されるにつれて、回転アーム１４は、デバイス遮蔽体２０の内部内のチャネル６５の中に乗設される。チャネル６５の目的は、回転アーム１４が撓曲するために要求されないように保ち、その結果、針５１遮蔽の間、回転アーム１４とデバイス遮蔽体２０との間に抵抗摩擦力を生成することである。
さらに、図２８および２９に示されるように、デバイス遮蔽体２０が、伸展された可撓性相互接続部３０からの力の結果、注射器５０の遠位端に向かって後方に押勢されるにつれて、デバイス遮蔽体ロックアウトアーム２２は、注射器５０の表面に沿って、次いで、係止つば１０内のへり１８に沿って、撓曲状態で乗設される。図３０および３１に描写されるように、デバイス遮蔽体ロックアウトアーム２２が係止つばのへり１８を辿って遠位に乗設されるにつれて、係止つば内の陥凹１９に遭遇し、その撓曲状態のため、その中にスナップするであろう。デバイス遮蔽体ロックアウトアーム２２の上部または近位縁６６と係止つば陥凹１９の上部または遠位表面６８との間の界面は、デバイス遮蔽体２２を係止状態にさせ、針５１を恒久的に保護および遮蔽する。ロックアウトアーム２２の底部と係止つば陥凹１９の底部表面との間の界面は、注射器５０に対するデバイス遮蔽体２０のさらなる遠位移動を防止する。
【００２０】
図３２および３３を参照すると、代替実施形態は、異なるデバイスロックアウト方法を含むように示される。係止リング１５０は、デバイス使用の前に、その遠位端において、係止つば１１０に組み立てられる。係止リング１５０は、両側に、デバイス遮蔽体１２０内の２つのチャネル１２１の中に着座する２つのタブ１５１を含有する。図３４に示されるように、針挿入の間、チャネルの底部表面１２８が係止リングタブ１５１に接触するまで、係止リングタブ１５１がデバイス遮蔽体チャネル１２１内を摺動するように、針遮蔽体１２０が注射部位から注射器１６０筒まで近位に移動する。デバイス遮蔽体１２０が、注射器１６０筒まで移動し続け、針がさらに注射部位を穿刺するにつれて、係止リング１５０は、図３５に描写されるように、係止つば１１０のシャフト１１２までデバイス遮蔽体１２０とともに搬送され、そこで、係止つば１１０の両側の勾配斜面１１４に遭遇し、勾配斜面１１４にわたって撓曲する。図３６に示されるように、係止リング１５０は、文字Ｃのように成形され、可撓性になる。
図３７ＡおよびＢを参照すると、係止つば１１０の勾配斜面１１４の上部に、平坦表面１１５を含む。係止リング１５０が、勾配斜面１１４に乗設されると、その元の形状に戻るように弛緩し、その底部表面１５４は、勾配斜面１１４の平坦表面１１５上に静置するであろう。係止リング１５０上の２つの突出部１５６（各側に１つ）は、ここで、注射器１６０筒の外側寸法と噛合および合致する。それらはまた、デバイス遮蔽体ロックアウトアーム１２２と垂直整合する。
注射が完了し、注射器が注射部位から引っ張られた後、デバイス遮蔽体１２０は、弾性および可撓性相互接続部１３０によって発生されるばね力のため、前述の実施形態に説明されたように、注射器１６０筒を辿って後方に遠位に移動するであろう。安全デバイスをロックアウトするために、撓曲梁状態にあるデバイス遮蔽体ロックアウトアーム１２２は、針が注射部位から除去されるにつれて、注射器１６０筒から係止リング突出１５６に接触を移行し、図３８ＡおよびＢに示されるように、次いで、突出部１５６下の定位置にスナップするであろう。図３２に示されるように、係止リング１５０は、係止つば勾配斜面１１４の平坦表面１１５および係止つばへり１１９の底部表面によって垂直に拘束されるため、遮蔽体１２０は、注射筒１６０に対して上下に移動することが不可能であり、その結果、デバイスに係止し、ユーザを偶発的針刺しから保護するであろう。
【００２１】
前述の明細書では、本発明は、その具体的実施形態を参照して説明された。しかしながら、種々の修正および変更が、より広義な本発明の精神および範囲から逸脱することなく、そこに成され得ることは明白であるであろう。例えば、読者は、本明細書に説明されるプロセスフロー図に示される、プロセス作用の具体的順序および組み合わせが、別様に記載されない限り、単に、例証であり、本発明は、異なるまたは付加的プロセス作用、あるいはプロセス作用の異なる組み合わせまたは順序を使用して行なわれ得ることを理解するはずである。別の実施例として、一実施形態の各特徴は、他の実施形態に示される他の特徴とうまく組み合わせられ得る。当業者に既知の特徴およびプロセスも、同様に、所望に応じて、組み込まれてもよい。加えて、明白であるが、特徴は、所望に応じて、追加または除外されてもよい。故に、本発明は、添付の請求項およびその均等物に照らして以外、制約されるものではない。
【図１】
2020049278.tif 000003
【図２】
2020049278.tif 000004
【図３】
2020049278.tif 000005
【図４】
2020049278.tif 000006
【図５】
2020049278.tif 000007
【図６】
2020049278.tif 000008
【図７】
2020049278.tif 000009
【図８】
2020049278.tif 000010
【図９】
2020049278.tif 000011
【図１０】
2020049278.tif 000012
【図１１】
2020049278.tif 000013
【図１２】
2020049278.tif 000014
【図１３】
2020049278.tif 000015
【図１４】
2020049278.tif 000016
【図１５】
2020049278.tif 000017
【図１６】
2020049278.tif 000018
【図１７】
2020049278.tif 000019
【図１８】
2020049278.tif 000020
【図１９】
2020049278.tif 000021
【図２０】
2020049278.tif 000022
【図２１】
2020049278.tif 000023
【図２２】
2020049278.tif 000024
【図２３】
2020049278.tif 000025
【図２４】
2020049278.tif 000026
【図２５】
2020049278.tif 000027
【図２６】
2020049278.tif 000028
【図２７】
2020049278.tif 000029
【図２８】
2020049278.tif 000030
【図２９】
2020049278.tif 000031
【図３０】
2020049278.tif 000032
【図３１】
2020049278.tif 000033
【図３２】
2020049278.tif 000034
【図３３】
2020049278.tif 000035
【図３４】
2020049278.tif 000036
【図３５】
2020049278.tif 000037
【図３６】
2020049278.tif 000038
【図３７】
2020049278.tif 000039
【図３８】
2020049278.tif 000040
【外国語明細書】
2020049278000001.pdf